(57)【要約】【課題】  長時間座っていても体が痛くなりにくく、和室で違和感なく使用することができるようにする。【解決手段】  本考案の和室用の椅子１は、上面に座クッション部１２が配設された座部２と、座部２を床に対して支持する脚部９とを備えている。座クッション部１２は、低反発性のクッション材１３と、クッション材１３を覆うカバー体１４とを備えている。クッション材１３の上面は、左右方向の中央になるほど低くなるように設けられた左右一対の斜面１５ａにより形成された凹部１５を備え、該左右一対の斜面１５ａは、臀部及び大腿部を左右から挟んで内向きに圧するように形成されている。カバー体１４は、凹部１５が目立たなくなるように、凹部１５から浮いた状態でクッション材１３を覆うように形成されている。【選択図】      図２
0003186975.tif 000002
【実用新案登録請求の範囲】
【請求項１】
上面に座クッション部が配設された座部と、
該座部を床に対して支持する脚部と
を備えた和室用の椅子であって、
前記座クッション部は、低反発性のクッション材と、該クッション材を覆うカバー体とを備えており、
前記クッション材の上面は、左右方向の中央になるほど低くなるように設けられた左右一対の斜面により形成された、前後方向に延びる凹部を備え、該左右一対の斜面は、臀部及び大腿部を左右から挟んで内向きに圧するように形成されており、
前記カバー体は、前記凹部が目立たなくなるように、該凹部から浮いた状態で前記クッション材を覆うように形成されている和室用の椅子。
【請求項２】
前記カバー体は、前記凹部の直上に、該凹部よりも浅く凹んだ、前後方向に延びる表面側凹部が形成されている請求項１記載の和室用の椅子。
【請求項３】
前記座部の左右側に設けられた肘掛けを備えた請求項１又は２記載の和室用の椅子。
【請求項４】
前記肘掛けの上面の高さは、前記クッション材の上面の中心から１１〜１６ｃｍの範囲内に設定されている請求項３記載の和室用の椅子。
【請求項５】
前記肘掛けの上面の高さは、前記クッション材の上面の中心から１３〜１４ｃｍの範囲内に設定されている請求項４記載の和室用の椅子。
【請求項６】
前記座部の後側に設けられた背もたれを備えた請求項１〜５のいずれか一項に記載の和室用の椅子。
【請求項７】
前記脚部は、膝を折り曲げた状態で膝から下の部分を入れ置ける小空間を前記座部の下側に形成するように構成された請求項１〜６のいずれか一項に記載の和室用の椅子。
【請求項８】
前記脚部は、前記床に対して線状又は面状に接触するように構成された請求項１〜７のいずれか一項に記載の和室用の椅子。
【考案の詳細な説明】
【技術分野】
【０００１】
本考案は、低反発性のクッション材を用いた和室用の椅子に関するものである。
【背景技術】
【０００２】
和室用の椅子としては、特許文献１に記載されたものを例示する。この椅子は、座部、脚部及び背もたれ部を備えているものである。同文献には、座部及び背もたれ部の材質や形態については、多少のクッション性を備えて、座っていても痛みを感じることなく、長時間座っていることができる構造となっている旨が記載されており、略矩形の平板状に形成された座クッション部が図示されている。これと同様な構成の椅子が特許文献２にも開示されている。
【０００３】
また、低反発性のクッション材を用いたクッションとしては、特許文献３に記載された骨盤クッションを例示する。このクッションは、厚みの薄い平坦状の中央座部と、中央座部の延長線上に連続状に配備される左右一対のサポート部とからなり、サポート部は厚みの大きい扁平な円柱状で、床面に接面して中央座部を床面から遊離させる膨出下周部と、中央座部の押し下げで内向きに立ち上がり骨盤を挟圧する膨出上周部とを備えている。これと同様な構成のクッションが特許文献４にも開示されている。
【先行技術文献】
【特許文献】
【０００４】
【特許文献１】実用新案登録第３１０３０３６号公報
【特許文献２】実用新案登録第３０５０７１０号公報
【特許文献３】実用新案登録第３１８４２３９号公報
【特許文献４】実用新案登録第３１７４５１０号公報
【考案の概要】
【考案が解決しようとする課題】
【０００５】
ところが、特許文献１や特許文献２に記載された椅子は、座クッション部が平板状に形成されているだけでため、実際に長時間座っていると、座骨や尾骨へ圧力が掛かり続けることで、体が痛くなりやすいという課題がある。
【０００６】
また、特許文献３や特許文献４に記載されたクッションは、やや奇抜な形状であるため、例えば、和室において念仏する場合や講話を聴講する場合の使用になじまないという課題がある。
【課題を解決するための手段】
【０００７】
前記課題を解決するために、第１の考案の和室用の椅子は、
上面に座クッション部が配設された座部と、
該座部を床に対して支持する脚部と
を備えた和室用の椅子であって、
前記座クッション部は、低反発性のクッション材と、該クッション材を覆うカバー体とを備えており、
前記クッション材の上面は、左右方向の中央になるほど低くなるように設けられた左右一対の斜面により形成された、前後方向に延びる凹部を備え、該左右一対の斜面は、臀部及び大腿部を左右から挟んで内向きに圧するように形成されており、
前記カバー体は、前記凹部が目立たなくなるように、該凹部から浮いた状態で前記クッション材を覆うように形成されている。
【０００８】
この構成によれば、前記座クッション部は、低反発性のクッション材を備え、該クッション材の上面に設けられた左右一対の斜面は、臀部及び大腿部を左右から挟んで内向きに圧するとともに、座骨や尾骨への圧力の掛かりを低減するように構成されているので、長時間座っていても体が痛くなりにくい。
また、前記カバー体は、前記凹部が目立たなくなるように、該凹部から浮いた状態で前記クッション材を覆うように形成されているので、例えば、和室において念仏する場合や講話を聴講する場合の使用でも、違和感なく使用できる。
【０００９】
第２の考案の和室用の椅子としては、第１の考案において、
前記カバー体は、前記凹部の直上に、該凹部よりも浅く凹んだ、前後方向に延びる表面側凹部が形成されている態様を例示する。
【００１０】
この構成によれば、前記表面側凹部により前記凹部の存在を利用者に気づかせることができ、利用者が着座したときの違和感を軽減できる。
【００１１】
第３の考案の和室用の椅子としては、第１又は２の考案において、
前記座部の左右側に設けられた肘掛けを備えた
態様を例示する。
【００１２】
この構成によれば、肘掛けにより座っているときに腕を休めることができるとともに、起立又は着座時に体を腕で支持することができる。
【００１３】
第４の考案の和室用の椅子としては、第３の考案において、
前記肘掛けの上面の高さは、前記クッション材の上面の中心から１１〜１６ｃｍの範囲内に設定されている態様を例示する。
【００１４】
第５の考案の和室用の椅子としては、第４の考案において、
前記肘掛けの上面の高さは、前記クッション材の上面の中心から１３〜１４ｃｍの範囲内に設定されている態様を例示する。
【００１５】
ここで、前記肘掛けの高さの下限を１１ｃｍとしたのは、それよりも低いと座っているときに肘を休めにくくなるためである。また、肘掛けの高さの上限を１６ｃｍとしたのは、それよりも起立するために腕で体を支持しようとしたときの肘の角度が深くなり、高齢者等の非力な利用者が、腕で体を支持しにくくなるためである。また、前記肘掛けの高さのさらに好ましい範囲を１３〜１４ｃｍとしたのは、この範囲が、座っているときの肘の休めやすさと、起立するときの体の支持のしやすさとを両立できるからである。
【００１６】
これらの構成によれば、起立するために腕で体を支持しようとしたときの肘の角度が浅くなり、高齢者等の非力な利用者であっても腕で体を支持しやすくすることができる。
【００１７】
第６の考案の和室用の椅子としては、第１〜５のいずれかの考案において、
前記座部の後側に設けられた背もたれを備えた態様を例示する。
【００１８】
この構成によれば、背もたれにより座っているときに体を後にもたれ掛けさせて休めることができる。
【００１９】
第７の考案の和室用の椅子としては、第１〜６のいずれかの考案において、
前記脚部は、膝を折り曲げた状態で膝から下の部分を入れ置ける小空間を前記座部の下側に形成するように構成された態様を例示する。
【００２０】
この構成によれば、和室において膝を折り曲げた状態で座ることができる。
【００２１】
第８の考案の和室用の椅子としては、第１〜７のいずれかの考案において、
前記脚部は、前記床に対して線状又は面状に接触するように構成された態様を例示する。
【００２２】
この構成によれば、前記床に点状に接触する構成とは異なり、前記床を局所的に押圧することを防止し、和室の床を傷めることを防止できる。
【考案の効果】
【００２３】
本考案に係る和室用の椅子によれば、長時間座っていても体が痛くなりにくく、和室で違和感なく使用することができるという優れた効果を奏する。
【図面の簡単な説明】
【００２４】
【図１】本考案を具体化した一実施形態に係る和室用の椅子の斜視図である。
【図２】同椅子の正面図である。
【図３】同椅子の左側面図である。
【図４】図３のＩＶ−ＩＶ線断面図である。
【考案を実施するための形態】
【００２５】
図１〜図４は本考案を具体化した一実施形態の和室用の椅子１を示している。この椅子１は、座部２と、座部２の左右側に設けられた肘掛け３と、座部２の後側に設けられた背もたれ４と、座部２、肘掛け３及び背もたれ４を床に対して支持するフレーム５とを備えている。
【００２６】
フレーム５は、略ロ字状に形成された左右一対の下部側フレーム６と、該両下部側フレーム６の前後同士をそれぞれ連結する横フレーム７と、Ｌ字状に形成され、その水平部位が横フレーム７に取り付けられた左右一対の上部側フレーム８とを備えている。
【００２７】
横フレーム７には座部２が支持されており、この横フレーム７及びこれを支持する下部側フレーム６が、座部２を床に対して支持する脚部９である。脚部９は、膝を折り曲げた状態で膝から下の部分を入れ置ける小空間を座部２の下側に形成するように構成されている。脚部９を構成する下部側フレーム６における下側の水平部位６ａは、前記床に対して線状に接触するように構成されている。
【００２８】
座部２は、座ベース部１１と、座ベース部１１の上に配設された座クッション部１２とを備えている。
【００２９】
座クッション部１２は、図４に示すように、低反発性のクッション材１３と、該クッション材１３を覆うカバー体１４とを備えている。クッション材１３の素材としては、特に限定されないが、衝撃吸収可能に形成された低反発ウレタンスポンジを採用することを例示する。
【００３０】
クッション材１３の上面は、図４に示すように、左右方向の中央になるほど低くなるように設けられた左右一対の斜面１５ａにより形成された、前後方向に延びる凹部１５を備え、該左右一対の斜面１５ａは、利用者Ｕの臀部Ｕａ及び大腿部Ｕｂを左右から挟んで内向きに圧するように形成されている。
【００３１】
前記カバー体１４は、図４に示すように、凹部１５の直上に、該凹部１５よりも浅く凹んだ、前後方向に延びる表面側凹部１６が形成されており、凹部１５が目立たなくなるように、該凹部１５から浮いた状態でクッション材１３を覆うように形成されている。
【００３２】
肘掛け３は、下部側フレーム６における上側の水平部位６ｂにクッション性を有するカバー１７が着脱可能に取り付けられることにより構成されている。
【００３３】
背もたれ４は、一対の上部側フレーム８における起立部位に支持されており、背ベース部１８と、該背ベース部１８の正面に配設された背クッション部１９とを備えている。
【００３４】
本例の椅子１は、外形寸法が幅５５ｃｍ、奥行き５４ｃｍ、高さ５７．５ｃｍに形成されている。また、肘掛け３の上面の高さＨ（図３参照）は、クッション材１３の上面の中心の高さから１３．５ｃｍに設定されている。
【００３５】
以上のように構成された本例の和室用の椅子１によれば、座クッション部１２は、低反発性のクッション材１３を備え、該クッション材１３の上面に設けられた左右一対の斜面１５ａは、利用者Ｕの臀部Ｕａ及び大腿部Ｕｂを左右から挟んで内向きに圧するとともに、座骨や尾骨への圧力の掛かりを低減するように構成されているので、長時間座っていても体が痛くなりにくい。
また、カバー体１４は、凹部１５が目立たなくなるように、該凹部１５から浮いた状態でクッション材１３を覆うように形成されているので、例えば、和室において念仏する場合や講話を聴講する場合の使用でも、違和感なく使用できる。
【００３６】
また、カバー体１４は、凹部１５の直上に、該凹部１５よりも浅く凹んだ表面側凹部１６が形成されているので、凹部１５の存在を利用者に気づかせることができ、利用者が着座したときの違和感を軽減できる。
【００３７】
また、座部２の左右側に設けられた肘掛け３を備えているので、座っているときに腕を休めることができるとともに、起立又は着座時に体を腕で支持することができる。
【００３８】
また、肘掛け３の上面の高さＨは、クッション材１３の上面の中心から１３．５ｃｍに設定されているので、起立するために腕で体を支持しようとしたときの肘の角度が浅くなり、高齢者等の非力な利用者であっても腕で体を支持しやすくすることができる。
【００３９】
また、座部２の後側に設けられた背もたれ４を備えているので、座っているときに体を後にもたれ掛けさせて休めることができる。
【００４０】
また、脚部９は、膝を折り曲げた状態で膝から下の部分を入れ置ける小空間を座部２の下側に形成するように構成されているので、和室において膝を折り曲げた状態で座ることができる。
【００４１】
また、脚部９は、その水平部位６ａが前記床に対して線状又は面状に接触するように構成されているので、和室の床を傷めることを防止できる。
【００４２】
なお、本考案は前記実施形態に限定されるものではなく、例えば以下のように、考案の趣旨から逸脱しない範囲で適宜変更して具体化することもできる。
（１）クッション材１３の上面の中心の高さに対する肘掛け３の上面の高さを変更すること、又は、高さ調節可能に構成すること。
（２）座クッション部１２の上面に凹みが表れないように、クッション材１３をカバー体１４で覆うようにすること。
（３）座部２、肘掛け３及び背もたれ４を支持する骨組（脚部を含む。）の構造を適宜変更すること。
（４）肘掛け３又は／及び背もたれ４を省いた構成にすること。
【符号の説明】
【００４３】
１    和室用の椅子
２    座部
３    肘掛け
４    背もたれ
５    フレーム
６    下部側フレーム
６ａ  下側の水平部位
６ｂ  上側の水平部位
７    横フレーム
８    上部側フレーム
９    脚部
１１    座ベース部
１２    座クッション部
１３    クッション材
１４    カバー体
１５    凹部
１５ａ  斜面
１６    表面側凹部
１７    カバー
１８    背ベース部
１９    背クッション部
Ｈ    肘掛けの高さ
Ｕ    利用者
Ｕａ  臀部
Ｕｂ  大腿部
【図１】
0003186975.tif 000003
【図２】
0003186975.tif 000004
【図３】
0003186975.tif 000005
【図４】
0003186975.tif 000006